(57)【要約】  流体容器が、貯蔵区画を画成する胴部と、該胴部によって担持され貯蔵区画と流体連通する細長の注ぎ管と、注ぎ管／胴部間の旋回連結部とを含み、該連結部が、胴部底部から上方へ延び、軸線を中心として胴部に対して注ぎ口を旋回させるのに適している。注ぎ管は、胴部から離れる方向に延びる注ぎ位置と胴部近くに隣接する収納位置との間で旋回可能である。注ぎ管は光透過性材料で作ることができ、容量目盛が注ぎ管に隣接する胴部上に設けられている。
2008501358.tif 000002
【特許請求の範囲】
【請求項１】
流体容器において、
底部及び頂部を有し、内部に貯蔵区画が画成された胴部と、
前記胴部によって担持され、流体を注ぎ出すために貯蔵区画と流体連通する細長の注ぎ管と、
胴部の底部から上方へ延び、軸線を中心として胴部に対して注ぎ管を旋回させるのに適した注ぎ管／胴部間の旋回連結部とを含む流体容器。
【請求項２】
前記注ぎ管が長手方向に弓形に湾曲している、請求項１に記載された流体容器。  
【請求項３】
前記注ぎ管が、胴部から離れる方向へ延びる注ぎ位置と、胴部近くに隣接して胴部の該輪郭に沿って延びる収納位置との間を可動である、請求項２に記載された流体容器。
【請求項４】
前記注ぎ管が、胴部底部に隣接する貯蔵区画と連通している、請求項１に記載された流体容器。
【請求項５】
前記胴部が、胴部から突出かつ底部に隣接する掴み延長部を含み、使用者が容器を高く持ち上げるさいに、容器が掴み易いようになっている、請求項４に記載された流体容器。
【請求項６】
前記旋回連結部が掴み延長部上に配置されている、請求項５に記載された流体容器。
【請求項７】
更に、注ぎ管に隣接する胴部前部の頂部と、注ぎ管と反対側の後部底部とに結合された取っ手を含む、請求項１に記載された流体容器。
【請求項８】
前記取っ手が非円形横断面を有している、請求項７に記載された流体容器。
【請求項９】
前記取っ手が可とう性の弾性的な摩擦掴みパッドを含む、請求項７に記載された流体容器。
【請求項１０】
前記旋回連結部と注ぎ管とが軸線を中心として３６０°旋回できるように構成されている、請求項１に記載された流体容器。
【請求項１１】
流体容器において、
内部に貯蔵区画が形成された、頂部及び底部を有する胴部と、
胴部によって担持され、貯蔵区画から流体を注ぎ出すための、貯蔵区画と流体連通する細長の注ぎ管とが含まれ、
前記注ぎ管が、使用者に注ぎ管内の流体レベルが見えるように、光透過性材料で作られており、更に
注ぎ管に隣接する胴部部分に容量目盛が含まれ、これにより注ぎ管内の液体レベルを、貯蔵区画内の液体量を示す目盛と容易に照合させることができる、流体容器。
【請求項１２】
流体容器において、
内部に貯蔵区画が形成され、頂部及び底部と予め決められた外輪郭とを有する胴部と、
胴部によって担持され、貯蔵区画から流体を注ぎ出すための、貯蔵区画と流体連通する細長の注ぎ管と、
胴部から離れる方向へ延びる注ぎ位置と収納位置との間で軸線を中心として注ぎ管を旋回させるのに適した注ぎ管／胴部間の旋回連結部とが含まれ、
前記注ぎ管が、収納位置では胴部近くに隣接し、かつ底部から頂部までの胴部の予め決まった輪郭に沿って位置するように注ぎ管と軸線とが構成されている、流体容器。
【請求項１３】
前記旋回連結部が底部に隣接配置されている、請求項１２に記載された流体容器。
【請求項１４】
前記胴部が外方へ凸状に湾曲した輪郭を有し、前記注ぎ管が、長手方向に弓形に湾曲していることにより、収納位置では胴部の輪郭に添うかたちになる、請求項１３に記載された流体容器。
【発明の詳細な説明】
【技術分野】
【０００１】
本出願は、流体容器の関するものであり、詳しく言えば、容器から注ぎ易くするための注ぎ管を備えた容器、例えば撒水容器等に関するものである。
【背景技術】
【０００２】
様々な種類の撒水容器が公知だが、それらは、通常、横に延びる細長の注ぎ管を供えている。これらの注ぎ管の結果、容器には不都合な全体形状となり、容器の保管を難しくしている。液体容器に可とう性の注ぎ管を付けて、この注ぎ管を、使用しないときには、曲げるか、たわませるかして容器に隣接する収納位置へ収め、保管し易くすることが知られている。しかし、その種の注ぎ管は、繰り返したわませると弱くなって、最終的には収納し損なったり、口が割れて漏れを生じることがある。
容器、例えば撒水容器は、通常、容器の側部から横へ延びる取っ手、又は頂部から下へ延びる取っ手を備えている。このような取っ手位置では、頭の上ほどの高い位置から注ぐのは難しく、不便である。また、通常、容器を満杯にすると極めて重くなるので、とくに大容量の容器の場合には、このような取っ手は使いにくい。
また、容器内の、例えば撒水容器内の流体量が分かるのが望ましい場合がしばしばある。例えば、液体又は粉末の肥料を所定量の水と混合する場合である。通常の撒水容器の場合、容器に入れる前に予め計量しなければ、容器内の流体量を正確に知ることは難しいか、不可能である。
【発明の開示】
【発明が解決しようとする課題】
【０００３】
ここに開示されるのは、従来の容器の欠点が除去される一方、付加的な構造上、操作上の利点を有する改良型流体容器である。
【課題を解決するための手段】
【０００４】
一実施例の場合、底部及び頂部を備え、かつ内部に貯蔵区画が画成されている胴部と、胴部に担持され、流体を注ぎ出すための、貯蔵区画と連通する細長の注ぎ管と、胴部底部から上方へ延び、軸線を中心として胴部に対し注ぎ管を旋回させる注ぎ管／胴部間の旋回連結部とを含む流体容器が得られる。
一実施例の場合、注ぎ管が光透過性材料で形成されていることで、使用者は注ぎ管内の流体レベルを見ることができ、また容量目盛が注ぎ管に隣接する胴部部分に設けられていることで、注ぎ管内の流体レベルを容易に貯蔵区画内の流体量を示す前記目盛と相関させることができる。
また、一実施例の場合、胴部は予め定めた外輪郭を有することができ、前記旋回連結部は、胴部から離れる方向に延びる注ぎ位置と収納位置との間を軸線を中心として旋回するのに適し、収納位置では注ぎ管が胴部近くの隣接位置を占め、底部から頂部まで胴部の予め決められた輪郭に沿って延びることになる。
【０００５】
保護請求の客体の理解を容易にする目的で、以下、一実施例を添付図面につき説明する。該実施例を調べ、以下の説明と関連させて考えることにより、保護対象の客体の構造及び操作や、利点の多くを容易に理解かつ評価することができよう。
【実施例１】
【０００６】
図１から図５には、撒水容器１０の形式の流体容器が示されている。該撒水容器は、底部又は基底部１２と頂部１３とを有する胴部１１を有し、胴部内部には貯蔵区画１５が画成されている。図示の実施例の場合、胴部１１は、前部から後部への奥行きが両側面間の幅より大きい概して長円形状を有しているが、胴部は、概して頂部が開放された容器が形成されるのであれば、どのような所望の形状でもよい。胴部１１は、頂部に大きい充填口１６を有し、充填口１６には、その後端に概して半円形の切欠き１７が形成されている（図５）。胴部１１は、充填口１６の前方で胴部から斜め後方へ向かって突出する概して管状の上部突出部１８と、基底１２に隣接する胴部箇所から後方へ延びる概して管状の突出部１９とを有している。  
【０００７】
突出部１８，１９の間には取っ手組立体２０が配置され、該組立体は、後方へ胴部１１から間隔を置いて概して垂直に延びる細長の内側取っ手管２１（図４及び図５）と、胴部１１の頂部から上方へ間隔をおいて前方へ延びる上方部分とを有している。内側取っ手管２１は、突出部１８，１９と連通し、突出部と統合的に形成されるが、一体に形成してもよい。取っ手管２１の横方向に延びる概して半円筒形の凹部又は切欠き２２が、取っ手管２１の外側及び内側に沿って長手方向に間隔をおいて形成されている。取っ手組立体２０は、左右の外殻２４，２５を含む掴み組立体２１を含み、該外殻が、各々内側取っ手管２１の左右の側を覆い、かつ互いにスナップばめされることで、協働して取っ手管２１を完全に取り囲んでいる。
【０００８】
外殻２４，２５の一方は、雌ねじを有する複数のボス２６を備えており（図７）、他方は、外殻２４，２５を互いに固定するため、各々ねじを受容するための穴７を備えている。外殻２４，２５の各々は、その内面に沿って被覆するように成形された摩擦パッド２９を備えている。該摩擦パッドは、適当なエラストマー材料、例えばサントプレン（ＳＡＮＴＯＰＲＥＮ）の商標名を有する材料で形成できる。図４に見られるように、取っ手組立体２０は連続的な通路を備え、該通路が突出部１８，１９を介して貯蔵区画１５と連通している。
【０００９】
胴部１１の基底１２から前方へは、前部延長部３０が突出しており、該前部延長部の下側外面は、後述する目的で、高く持ち上げるさいに掴み易いように掴み面３１を形成している。前部延長部３０は傾斜した上面を有し、この上面からは概して円筒形の頚部３２が突出し、この頚部の上下端部に隣接して周方向溝３３，３４が設けられ、上部の溝３３にはＯリング３５がはめ込まれている。前部延長部３０（図５）の上部後端から前方へ、後述する目的で止め突起３６が突出している。頚部３２は、前部延長部３０の上面と事実上直角に位置する長手方向中心軸線３７を有し、基底１２に対し斜め前方へ傾斜している。
胴部１１の前部は、前部延長部３０から上部突出部１８へ延びる弓形の輪郭３８を画成している。垂直方向に間隔をおいて、容量目盛３９が、前部輪郭３８に沿って胴部１１の外表面に設けられている。
【００１０】
撒水容器１０は、比較的細い吐出端を有する細長の弓形注ぎ管４１を含む注ぎ管組立体４０を備え、注ぎ管４１は、下方へ向って拡径し、かつ環状肩４４を形成する縮径入り口端部４３で終わっている（図５）。
注ぎ管組立体４０は、概して環状のカラー５０を含み、該カラーには、直径方向で対向する位置に内面に沿って半径方向内方へ突出したラグ６１が備えられている（図５及び図８）。カラー５０の内面には、ラグ５１から９０°の間隔を置いて直径方向で対向位置に、軸線方向に延びる通路又は溝５３が設けられ、各溝が中間に端部を有し、該端部が半径方向内方へ突出する棚状部又は肩５４を有している。カラー５０は、下端に半径方向内方へ斜めに下行する短い切頭円錐形の面５５を有し、該面上には、溝５３と事実上整合する直径方向対向位置に２つの止めパッド５６が形成され、各止めパッドに止め溝５７が形成されている（図１０）。
【００１１】
組立のさい、カラー５０は、切頭円錐形の面５５を下向きにして注ぎ管の細い吐出端４２にはめ込んで、注ぎ管４１の縮径入口端４２のところへ押し下げ、注ぎ管ラグ４５が溝５３の下端に重なり、最終的にはカラーの肩５４の下側に係止される（図８参照）。関連部分は、この運動に順応するように十分に可とう性である。次いで注ぎ管／カラー組立体は、カラーのラグ５１が頚部の下部溝３４にスナップばめされるまで、頚部２２に押し込まれる（図６参照）。頚部頂部のＯリング３５は、注ぎ管端部４３の内面に密封係合するように配置されている。
【００１２】
注ぎ管組立体４０は、またシャワーヘッド６０を含み、該シャワーヘッドは、端部に縮径頚部６２を備えた概して切頭円錐形の胴部６１を有し（図４、図５、図９）、該縮径頚部６２は、注ぎ管４１の細い吐出端４２に押しばめ可能に寸法づけされており、頚部６２の上端には環状肩６３が形成され、該環状肩が注ぎ管４１の端面に着座するようになっている。胴部６１の拡径端部にはリム６４が形成されており、該リムには、複数の撒水穴を有する円形の撒水板５がスナップばめされている。シャワーヘッド６０は、注ぎ管４１から取り外し可能であり、不使用時には、図４及び図９に示されているように、充填口１６の後部切欠き１７にスナップばめして保管可能な寸法を有している。
【００１３】
本発明の重要な一態様によれば、既述のように、注ぎ管組立体４０は、頚部３２に取り付けられると、頚部３２の軸線３７を中心として３６０°旋回可能である。その場合、注ぎ管４１とカラー５０とは一緒に旋回し、例えばそれぞれ図１と図３に示すように、カラーの止め溝５７を胴部の前部延長部３０に設けた止めビード３６にスナップばめすることにより、注ぎ管が、それぞれ注ぎ位置と保管位置を占めることが可能になる。これに関しては、注ぎ管４１が、胴部１１の外輪郭３８に概して適合する長手方向曲率を有していることに注意されたい。したがって、図１の注ぎ位置では、注ぎ管４１は胴部１１から上方かつ外方へ突出し、図３の収納位置では、胴部の輪郭３８に沿って胴部１１に隣接する位置を占めることで、保管場所をとらないコンパクトな収納形態が得られる。収納形態での撒水容器１０の輪郭を更に低くするには、シャワーヘッド５０を取り外して、図３に示すように、切欠き１７内に収容することができる。
【００１４】
注ぎ管４１は、光透過性材料、つまり透明又は半透明の材料で形成できるので、撒水容器１０内の流体レベルを明瞭に知ることができる。注ぎ管４１は、特に注ぎ管組立体の収納位置では胴部１１の容量目盛３９の近くに位置するため、目に見える注ぎ管内の流体レベルを容易に容量目盛３９と照合でき、容器胴部１１が不透明な材料製であっても、容器内の流体量を知ることができる。
取っ手組立体２０は、撒水容器１０を運ぶさいに掴むことができる概して水平に延びる部分と、撒水容器１０から水を注ぐさいに掴んで、容器が空になるまで容易に傾けることができる概して垂直な後部とを有している。既述のように、前部延長部３０の掴み面３１は、撒水容器１０を高く持ち上げて高い位置で容易に撒水できるようにするための付加的な掴み箇所を形成している。取っ手組立体２０は、人間工学的な非円形横断面を有しており、この横断面により快い握りが容易になり、この握りは、エラストマー性の摩擦パッド２９によって更に容易になる。
【００１５】
撒水容器１０の部品のすべては、Ｏリング３５を除いて、適当なプラスチック材料で形成して差し支えない。この場合、取っ手組立体２０の内側取っ手管２１は胴部１１と一体形成できよう。しかし、所望とあれば、他の材料、例えば適当な金属を使用できることが理解できよう。ただし光透過性の注ぎ管は除く。
既述のことから、次のような注ぎ管を備えた改良型流体容器が得られることが分かる。すなわち、注ぎ位置とコンパクトな収納位置間を容易に旋回でき、かつまた透光性であるため、不透明容器の内容量を容易に知ることができ、更に、楽に握れる人間工学的な設計の取っ手組立体を有している注ぎ管である。
以上の説明及び添付図面によって開示された客体は、単に説明として提示されたものであり、本発明を制限するものではない。図示され説明された具体例には、当業者には明らかなように、出願人の寄与になる広い観点から逸脱することなしに変化形や変更態様が可能である。請求する保護の実際の範囲は、先行技術を基礎とした妥当な視角から見て、特許請求の範囲で定義することにする。
【図面の簡単な説明】
【００１６】
【図１】注ぎ管が注ぎ位置にある場合の撒水容器の側面図。（実施例１）
【図２】図１の左端から見た撒水容器の拡大端面図。
【図３】注ぎ管を収納位置に配置した場合の図１同様の図。
【図４】図２の４−４線に概して沿って截断した縮小断面図。注ぎ管のノズルの収納位置が示されている。
【図５】図１の撒水容器の縮小分解斜視図。
【図６】図１の６−６線に概して沿って截断した拡大断面図。
【図７】図１の７−７線に概して沿って截断した拡大断面図。
【図８】図４の円内部分８を拡大して示す部分図。
【図９】図４の円内部分９を拡大して示す部分図。
【図１０】図１の撒水容器の注ぎ管浅海連結部の一部を拡大した示す部分斜視図。
【符号の説明】
【００１７】
１０  撒水容器
１１  胴部
１２  底部
１３  頂部
１５  貯蔵区画
１６  充填開口
１７  半円形切欠き
１８，１９  管状突出部
２０  取っ手組立体
２１  内側取っ手管
２２  半円形切欠き
２３  握り組立体
２４，２５  左右の外殻
２６  雌ねじ付きボス
２７  穴
２８  ねじ
２９  摩擦パッド
３０  前部延長部
３１  掴み面
３３，３４  周方向溝
３５  Ｏリング
３６  止めビード
３７  中心軸線
３８  弓形の輪郭
３９  容量目盛
４０  注ぎ管組立体
４１  弓形の注ぎ管
４３  縮径端部
４５  ラグ
５０  環状カラー
５１  ラグ
５３  溝
５４  肩
５６  止めパッド
５７  止め溝
６０  シャワーヘッド
６１  拡径端部
６２  縮径頚部
６３  環状肩
６４  リム
６５  円形撒水板
６６  吐出穴
【図１】
2008501358.tif 000003
【図２】
2008501358.tif 000004
【図３】
2008501358.tif 000005
【図４】
2008501358.tif 000006
【図５】
2008501358.tif 000007
【図６】
2008501358.tif 000008
【図７】
2008501358.tif 000009
【図８】
2008501358.tif 000010
【図９】
2008501358.tif 000011
【図１０】
2008501358.tif 000012
【国際調査報告】
2008501358.tif 000013